(57)【要約】【目的】広告宣伝販売活動のための識別標識が付加された電子メールの発行とその管理を目的とする。【構成】情報通信用のネットワークに接続し広告宣伝販売促進情報の全部または一部分を掲載させるための管理用サーバー、識別標識を管理し、当落情報を判定する管理者用プログラム、識別標識生成配布するための送受信者用情報端末、送受信者用プログラム、ネットワークに接続された受信者用情報端末を構成要素とする。この発明では、広告宣伝販売促進情報を第一次的応募者本人だけでなく電子メール受信者である友人知人（第二次的応募者）に知らしめることができるので、広告宣伝販売促進の効果は大きくなる。【選択図】　　図１
2004062486.tif 000002
【特許請求の範囲】
【請求項１】
次のものを構成要素とする識別標識発行電子メールを使った広告宣伝販売促進システム。
▲１▼　情報通信用のネットワークに接続し広告宣伝販売促進情報の全部または一部分を掲載させるための管理用サーバー
▲２▼　識別標識を管理し、当落情報を判定する管理用プログラム
▲３▼　識別標識発行配布するための送受信者用情報端末
▲４▼　識別標識を発行配布するための送受信者用プログラム
▲５▼　ネットワークに接続された受信者用情報端末
【請求項２】
前記送受信者用情報端末は、インストールされた識別標識発行配布プログラムを使ってネットワークを介して管理用サーバーにアクセスし、広告宣伝販売促進情報の全部または一部分をダウンロードし、送受信者用プログラムは、前記情報と生成された受信者の識別標識を付したメール文を作成し、ネットワークを介して自身（送受信者用情報端末）、受信者用情報端末および管理用サーバーに送信することを特徴とする識別標識発行電子メールを使った広告宣伝販売促進システム。
【請求項３】
前記管理用サーバーは、前記送受信者用情報端末から送付された識別標識を一定期間保存し、所定期間の経過後、識別標識の全部または一部分を当選標識として選択することを特徴とする識別標識発行電子メールを使った広告宣伝販売促進システム。
【請求項４】
送受信者用情報端末または受信者用情報端末が、管理用サーバーにアクセスして当選を確認する。次に、管理用サーバーは、当選者が受領の意思表示をし、個人情報を入力した後、その確認してはじめて個人の特定を行うことを特徴とする識別標識発行電子メールを使った広告宣伝販売促進システム。
【発明の詳細な説明】
【０００１】
【産業上の利用分野】
この発明は、電子メールを使った識別標識発行配布システム、特にインターネットを利用した抽選券配布システムに関するものである。
【０００２】
【従来の技術】
従来、懸賞によって広告宣伝販売促進活動を行おうとする場合、次の３つの手法が用いられてきた。
▲１▼　ホームページ上に懸賞情報等を掲載して広告宣伝販売促進活動を行う方法
▲２▼　主催者から一方的に抽選券付電子メールを配布する方法
▲３▼　抽選会を知ったユーザーが、サーバー経由で友人にも電子メールを使い、抽選券付電子メールを発信する方法
【０００３】
【課題】
前記で挙げたような従来方法は、次のような問題点がある。
前記▲１▼の方法では、「賞品目当ての消費者」にしか情報が届かず、効果的な広告宣伝販売促進ができない。
▲２▼の方法では、抽選券付き電子メールは発行母体に予め受け取りを承諾したユーザーへの一方向的な配布となってしまう。これでは、やはり「賞品目当ての消費者」にしか情報が届かず、▲１▼と同様、効果的な広告宣伝販売促進ができないと思われる。また、この方法では、主催者所有のサーバーで識別標識の生成と抽選管理を行うため、サーバーの負荷が非常に大きくなり、その結果、アプリケーションの開発とシステムの運営に多大な費用と時間を要することとなる。
▲３▼の方法では、電子メール発信者（ユーザー側）が接続しているサーバーから電子メールを発信することから、電子メール発信者の特定が難しく、発行者が自分自身に電子メールを送るといった不正利用を防ぎきれない。また、▲２▼同様、サーバーとアプリケーションの開発やシステム運営に多大な費用と時間を要することとなる。
【０００４】
このような問題点を解決するため、広範囲な人に訴求でき、サーバーの負荷やシステム運営の簡便な広告宣伝販売促進システムの開発が望まれている。
【０００５】
【実施態様】
以下、この発明の詳細を一実施例を示す図面について説明する。
図１には、この発明の識別標識配布システム１を構成するハードウエアが示されている。
すなわち識別標識配布のシステム１は、
▲１▼　情報通信用ネットワーク２
▲２▼　管理用サーバープログラム１０がインストールされ前記ネットワークにプロバイダー６を介して接続している管理用サーバー３
▲３▼　識別標識配布の情報の全部または一部分を表示する前記識別標識発行配布プログラム１１がインストールされ前記ネットワークにプロバイダー７を介して接続している送受信者用情報端末４
▲４▼　前記ネットワークにプロバイダー８を介して接続され受信者用情報端末５を備えている。
【０００６】
識別標識発行配布プログラム１１は、広告宣伝販売促進情報ダウンロード、重複のない識別標識の生成、その標識が付加された電子メールを送受信者用端末４と受信者用情報端末５と管理用サーバー３に送信する３つの機能を有する。識別標識は、広告宣伝販売促進、送受信者、受信者の３つの要素を基に生成する。
【０００７】
情報端末とは、携帯電話、携帯端末、パソコンなどを含むネットワークに接続してデータの入力、データの表示のできるものである。
サーバーとは、携帯端末や、携帯電話、パソコンと通信可能なシステムである。
【０００８】
このように構成されたハードウェア及びソフトウェアを使用して、この発明のシステムは次のように動作する。
【０００９】
図１及び図２に示すように、識別標識配布の主催者９から提供された広告宣伝販売促進の情報を管理者は前記管理用サーバー３で処理して（ステップ２）、前記情報の全部または一部分を前記ネットワークを介して前記管理用サーバーにアップロードして表示する（ステップ３）。その情報には賞品の種類、数量、応募条件、期間等の広告宣伝販売促進の情報が含まれている。
【００１０】
前記送受信者用情報端末は、ネットワーク２を介して管理用サーバー３にアクセスして、識別標識発行配布プログラムによって情報の全部または一部分をダウンロードする（ステップ４）。
【００１１】
送受信者は広告宣伝販売促進を選択し、受信者宛のメール文を作成し、送信ボタンを押す（ステップ５〜６）。送信ボタンが押されると、識別標識発行配布プログラムが送受信者用識別標識、受信者用識別標識を生成し（ステップ７）、送受信者用情報端末４、受信者用情報端末５及び管理用サーバー３に送信する（ステップ８）。さらに両識別標識は管理用サーバー３が受信し保管する（ステップ９）。
【００１２】
次に管理用サーバー用プログラムによって、所定の期日に一定の条件に従い、識別標識の全部または一部分を当選の対象標識として決定する（ステップ１０）。
前記対象標識は前記管理用サーバーにアップロードする（ステップ１１）。
【００１３】
送受信者または受信者は賞品に興味がある場合（ステップ１２）は、送受信者用情報端末４または受信者用情報端末５が管理用サーバー３にアクセスして（ステップ１３）、管理用サーバープログラムで当選しているか否かを確認し（ステップ１４）、当選している場合には賞品受領者となるかどうかを決定し（ステップ１５）、賞品受領者となるときは受領者の情報を管理用サーバープログラムで管理用サーバー３に送信し（ステップ１６）、管理用サーバー３が受領者の情報を確認する。（ステップ１８）
受領者の情報は賞品発送に必要なので主催者に知らされる。
【００１４】
【効果】
この発明では、広告宣伝販売促進情報を第一次的応募者本人だけでなく電子メール受信者である友人知人（第二次的応募者）に知らしめることができるので、広告宣伝販売促進の効果は大きくなると思われる。
【００１５】
また、送受信者はプロバイダーから取得した電子メールアドレスを使うので、身元が特定できる。すなわち、一人で複数の送受信者になったり他人になりきるといった不正利用も防ぐことができる。さらに受信者が賞品の受領行為をしない限り、自らの意志で応募していない受信者の個人情報はどこにも送信されないので、個人情報の不正流用も防ぐことができる。
【００１６】
【図面の簡単な説明】
【図１】システムのハードウェアの構成を示す構成説明図
【図２】システムの動作を示す流れ図
（流れ図は図２（１）で示す部分と図２（２）で示す部分と図２（３）で示す部分とに分割してある。図２（１）で示す部分と図２（２）で示す部分とはＡの記号で示す部分で連続しており、図（２）で示す部分と図２（３）で示す部分とはＢの記号で示す部分で連続している。）
【符号の説明】
１　　広告宣伝販売促進システム
２　　情報通信用のネットワーク
３　　管理用サーバー
４　　送受信者用情報端末
５　　受信者用情報端末
６　　プロバイダー
７　　プロバイダー
８　　プロバイダー
９　　主催者
１０　管理用サーバープログラム
１１　識別標識発行配布プログラム
【図１】
2004062486.tif 000003
【図２】
2004062486.tif 000004
【手続補正書】
【提出日】平成14年8月9日(2002.8.9)
【手続補正１】
【補正対象書類名】明細書
【補正対象項目名】０００９
【補正方法】変更
【補正の内容】
【０００９】
図１、図２（１）、図２（２）及び図２（３）に示すように、識別標識配布の主催者９から提供された広告宣伝販売促進の情報を管理者は前記管理用サーバー３で処理して（ステップ２）、前記情報の全部または一部分を前記ネットワークを介して前記管理用サーバーにアップロードして表示する（ステップ３）。その情報には賞品の種類、数量、応募条件、期間等の広告宣伝販売促進の情報が含まれている。




【手続補正書】
【提出日】平成14年8月9日(2002.8.9)
【手続補正１】
【補正対象書類名】明細書
【補正対象項目名】図面の簡単な説明
【補正方法】変更
【補正の内容】
【図面の簡単な説明】
【図１】システムのハードウェアの構成を示す構成説明図
【図２（１）】システムの動作を示す流れ図の部分（１）
（システムの動作を示す流れ図は図２（１）で示す部分と図２（２）で示す部分と図２（３）で示す部分の３部分からなっている。図２（１）で示す部分と図２（２）で示す部分とはＡの記号で示す部分で連続しており、図（２）で示す部分と図２（３）で示す部分とはＢの記号で示す部分で連続している。）
【図２（２）】システムの動作を示す流れ図の部分（２）
（システムの動作を示す流れ図は図２（１）で示す部分と図２（２）で示す部分と図２（３）で示す部分の３部分からなっている。図２（１）で示す部分と図２２（２）で示す部分とはＡの記号で示す部分で連続しており、図（２）で示す部分と図２（３）で示す部分とはＢの記号で示す部分で連続している。）
【図２（３）】システムの動作を示す流れ図の部分（３）
（システムの動作を示す流れ図は図２（１）で示す部分と図２（２）で示す部分と図２（３）で示す部分の３部分からなっている。図２（１）で示す部分と図２２（２）で示す部分とはＡの記号で示す部分で連続しており、図（２）で示す部分と図２（３）で示す部分とはＢの記号で示す部分で連続している。）
【符号の説明】
１　　広告宣伝販売促進システム
２　　情報通信用のネットワーク
３　　管理用サーバー
４　　送受信者用情報端末
５　　受信者用情報端末
６　　プロバイダー
７　　プロバイダー
８　　プロバイダー
９　　主催者
１０　管理用サーバープログラム
１１　識別標識発行配布プログラム


【手続補正２】
【補正対象書類名】図面
【補正対象項目名】全図
【補正方法】変更
【補正の内容】
【図１】
2004062486.tif 000005
【図２（１）】
2004062486.tif 000006
【図２（２）】
2004062486.tif 000007
【図２（３）】
2004062486.tif 000008